(57)【要約】【課題】テレビジョン放送や映画等の映像音声データの録画／再生中に該映像音声データの視聴の妨げとなるイベントを自動的に検出し、録画／再生を停止することなく、検出時点での映像音声データの録画／再生位置を電源遮断時に於いて削除されない方法で記憶し、所定の条件を満たした場合に該録画／再生位置情報を削除することの出来る記録再生装置を提供することにある。【解決手段】所定のイベント発生を示す外部音声が検出された時点で、ＨＤＤ２２に録画された放送番組が再生中であれば、メイン制御部２１が外部音声の検出時に再生されていた映像箇所が記録されているセクタアドレスをＨＤＤ２２に記憶させるとともに、外部音声の検出を示すフラグを該セクタアドレスに対応させてＨＤＤ２２に記憶させる。操作部１９の操作によって、これらの情報に対応する映像箇所が直接再生され、これらの情報は所定の条件を満たした場合に情報が消去される。【選択図】      図１
2006115230.tif 000002
【特許請求の範囲】
【請求項１】
テレビジョンチューナと、
ＤＶＤ−ＲＷのＶＲモードで映像音声を録画再生可能なＤＶＤ装置であって、前記テレビジョンチューナで受信した放送番組をＤＶＤ−ＲＷに録画し、前記録画された放送番組を再生するＤＶＤ装置と、
外部音声を検出して音声信号に変換する音声検出部と、
前記音声信号の特徴パラメータを抽出する特徴抽出部と、
前記特徴パラメータを記憶するメモリと、
前記音声検出部で新たに外部音声が検出された場合に、前記新たに検出された外部音声の特徴パラメータと、前記メモリに記憶された特徴パラメータとを比較し、一定の割合以上一致するか否かを判定する判定部と、
ユーザからのキー入力を受け付ける操作部と、
前記判定部に於いて、前記新たに検出された外部音声の特徴パラメータと前記メモリに記憶された音声の特徴パラメータとを比較して、一定の割合以上一致する場合に、前記ＤＶＤ装置が前記ＤＶＤ−ＲＷに録画された放送番組を再生中であれば、前記外部音声の検出時点で再生されていた前記ＤＶＤ―ＲＷに録画された放送番組の映像箇所が記録されているセクタアドレスを参照し、前記セクタアドレスを前記ＤＶＤ―ＲＷの再生領域の内側に設けられた情報領域に記憶させるとともに、前記音声検出を示すフラグを前記セクタアドレスに対応させて前記情報領域に記憶させ、前記ＤＶＤ装置が放送番組を前記ＤＶＤ−ＲＷに録画中であれば、前記外部音声の検出時点で前記ＤＶＤ−ＲＷに録画されていた放送番組の映像箇所が記録されているセクタアドレスを参照し、前記セクタアドレスを前記情報領域に記憶させるとともに、前記音声検出を示すフラグを前記セクタアドレスに対応させて前記情報領域に記憶させ、
さらに、ユーザによる前記操作部へのキー入力によって、前記情報領域に記憶された前記フラグ情報及び前記フラグに対応するセクタアドレスを読み出し、前記セクタアドレスから録画された放送番組の再生を実行させ、
さらに、録画された放送番組が前記セクタアドレスから再生された場合と、前記フラグの記憶後に一定時間が経過した場合と、前記フラグ無効化の為の操作を受け付けた場合の何れかの条件を満たした場合に、前記ＤＶＤ装置に記憶された前記フラグを無効化することを特徴とする録画再生装置。
【請求項２】
テレビジョンチューナと、
前記テレビジョンチューナで受信した放送番組を録画し、前記録画された放送番組を再生する録画再生部と、
外部音声を検出して音声信号に変換する音声検出部と、
前記音声信号の特徴パラメータを抽出する特徴抽出部と、
前記特徴パラメータを記憶するメモリと、
前記音声検出部で新たに外部音声が検出された場合に、前記新たに検出された外部音声の特徴パラメータと、前記メモリに記憶された音声の特徴パラメータとを比較し、一定の割合以上一致するか否かを判定する判定部と、
前記判定部に於いて、前記新たに検出された外部音声の特徴パラメータと前記メモリに記憶された音声の特徴パラメータとを比較して、一定の割合以上一致する場合に、前記録画再生部が録画された放送番組を再生中であれば、前記外部音声の検出時点で前記録画再生部によって再生されていた放送番組の映像箇所が記録されているセクタアドレスを参照し、前記セクタアドレスを前記録画再生部に記憶させるとともに、前記音声検出を示すフラグを前記セクタアドレスに対応させて前記録画再生部に記憶させる制御部と、を備えることを特徴とする録画再生装置。
【請求項３】
テレビジョンチューナと、
前記テレビジョンチューナで受信した放送番組を録画し、前記録画された放送番組を再生する録画再生部と、
外部音声を検出して音声信号に変換する音声検出部と、
前記音声信号の特徴パラメータを抽出する特徴抽出部と、
前記特徴パラメータを記憶するメモリと、
前記音声検出部で新たに外部音声が検出された場合に、前記新たに検出された外部音声の特徴パラメータと、前記メモリに記憶された特徴パラメータとを比較し、一定の割合以上一致するか否かを判定する判定部と、
前記判定部に於いて、前記新たに検出された外部音声の特徴パラメータと前記メモリに記憶された音声の特徴パラメータとを比較して、一定の割合以上一致する場合に、前記録画再生部が放送番組を録画中であれば、前記外部音声の検出時点で前記録画再生部によって録画されていた放送番組の映像箇所が記録されているセクタアドレスを参照し、前記セクタアドレスを前記録画再生部に記憶させるとともに、前記音声検出を示すフラグを前記セクタアドレスに対応させて前記録画再生部に記憶させる制御部と、を備えることを特徴とする録画再生装置。
【請求項４】
前記録画再生装置は、さらに操作部を備えており、
前記制御部は、ユーザによる前記操作部へのキー入力によって、前記録画再生部に記憶された前記フラグ情報及び前記フラグに対応するセクタアドレスを読み出し、前記セクタアドレスから録画された放送番組の映像箇所を再生させることを特徴とする、請求項２乃至３の何れか一つに記載の録画再生装置。
【請求項５】
前記制御部は、さらに所定の条件を満たした場合に、前記録画再生部に記憶された前記フラグを無効化することを特徴とする、請求項２乃至４の何れか一つに記載の録画再生装置。
【請求項６】
前記所定の条件は、録画された放送番組が前記セクタアドレスから再生されることであることを特徴とする、請求項５に記載の録画再生装置。
【請求項７】
前記所定の条件は、前記フラグの記憶後に一定時間が経過することであることを特徴とする、請求項５に記載の録画再生装置。
【請求項８】
前記所定の条件は、前記フラグの無効化の為の操作が受け付けられることであることを特徴とする、請求項５に記載の録画再生装置。
【請求項９】
前記録画再生部はＨＤＤであり、前記セクタアドレス及びフラグはＨＤＤ内に設けられた不揮発性メモリ、若しくは、磁気ディスクに記憶させることを特徴とする、請求項２乃至８の何れかつ一つに記載の録画再生装置。
【請求項１０】
前記録画再生部は、ＤＶＤ−ＲＷのＶＲモードで映像音声を録画再生可能なＤＶＤ装置であり、前記セクタアドレス及びフラグはＤＶＤ―ＲＷの再生領域の内側に設けられた情報領域に記憶させることを特徴とする、請求項２乃至８の何れか一つに記載の録画再生装置。
【発明の詳細な説明】
【技術分野】
【０００１】
本発明は、外部音声の検出により特定のイベントの発生を検出し、該イベントの発生時点で放送番組を録画／再生していた場合に、イベント発生時点に於ける放送番組の録画／再生箇所を自動的に記憶し、該録画／再生箇所から再生を行う方法、及び、該機能を備えた録画再生装置、特に、ＨＤＤレコーダやＤＶＤレコーダ等の録画再生装置、及び、該録画再生装置を備えたテレビジョン放送受信機に関する。
【背景技術】
【０００２】
テレビジョン放送番組や映画等の映像音声データを録画／再生する装置として、これまでＶＣＲ（Video Cassette Recorder）が広く普及してきた。しかし、近年の記録媒体の
コンパクト化、映像の高画質化及び音声の高音質化への高まる要求を受けて、大容量データを扱うことの出来るＨＤＤ（Hard Disk Drive）レコーダやＤＶＤ（Digital Versatile
Disk／Digital Video Disk）レコーダ等の録画再生装置の需要が増加している。一般に
ＶＣＲではユーザが所望の映像及び音声の再生位置を得る為には、ビデオテープの「早送り」または「巻き戻し」を行う必要があるが、ＨＤＤレコーダやＤＶＤレコーダでは、デジタルデータを使用して所望の再生位置を瞬時に得ることが出来るランダムアクセス機能を備えているので、所望の映像及び音声の再生位置を得る作業が簡素化し、作業時間を格段に短縮することが可能となった。
【０００３】
ところで、ＨＤＤレコーダやＤＶＤレコーダを使用して映像音声データを録画／再生中に、来客や電話対応等の要因によって、映像音声の視聴が妨げられる、或いは、中断される場合、こうした時点での再生箇所を何らかの方法で記憶しておけば、ランダムアクセス機能の使用により映像音声データの続きを容易に検索し、鑑賞することが出来る。
【０００４】
このような映像音声データの再生箇所を記録する方法として、様々な発明が提案されている。例えば、特許文献１では、映像の再生中に停止指示を受け付けた場合に映像停止位置を次回の再生開始位置として磁気ディスク装置に記録する記録再生装置について記載されている。この記録再生装置は、複数の再生開始位置を記録し、これらをスキップ再生する構成が開示されている。特許文献２では、再生中断時に次回に再生を再開するための再生中断情報をＤＶＤに書き込むＤＶＤレコーダについて記載されている。このＤＶＤレコーダでは、映像データの再生中にユーザによる停止指示を受け付けた場合に、再生中断情報をＤＶＤに書き込み、その後、ユーザによる再生指示を受け付けた場合に、該情報を読み出し、映像データの再生を実行する構成が開示されている。特許文献３では、映像データ再生中に電話がかかってきた場合に、一時停止及び再生を自動的に行うＨＤＤレコーダについて記載されている。このＨＤＤレコーダでは、映像データの再生中に電話回線を通じて電話の呼出信号を検知した場合、再生を一時停止して該一時停止情報をメモリに記録し、電話の終了信号を検知した場合、一時停止位置情報を取得して再生を再開させる構成と、放送番組を受信中に電話回線を通じて電話の呼出信号を検知した場合に、この放送番組をＨＤＤに記録し、電話の終了信号を検知すると録画を継続しながら録画開始位置まで遡って追っかけ再生を行う構成が開示されている。
【特許文献１】特開２００３−２１９３６９号公報（第３−５頁、第４図）
【特許文献２】特開２００３−３７８１４号公報（第１２−１４頁、第１７図）
【特許文献３】特開２００２−３３５４７９号公報（第６−９頁、第１図及び第１５図）
【発明の開示】
【発明が解決しようとする課題】
【０００５】
上述の通り、特許文献１に記載の発明では、複数の再生開始位置を記憶することは出来るが、例えば、来客や電話の対応で映像データの鑑賞が妨げられる際に、ユーザによる停止指示が必要であり、自動的に再生開始位置を記憶させることが出来ない。特許文献２に記載の発明では、ＤＶＤに再生中断情報を書き込むので、ＤＶＤレコーダの電源を遮断した場合に於いても再生中断情報を保存することが可能であるが、再生中断情報をＤＶＤに書き込むためにはユーザによる再生停止指示が必要であり、自動的に再生中断情報を記憶させることは出来ない。特許文献３に記載の発明では、映像データの再生中に電話の呼出信号を検知した場合、再生を一時停止して該一時停止情報をメモリに記録するが、この機能が問題となる場合がある。即ち、複数の人が同時に映像データを視聴している状況で電話の呼出信号を検知した場合、強制的に映像データが停止され、着信した電話に応答する必要がない人まで映像データの視聴が妨げられる。しかし、特許文献１に記載の発明では、再生を継続したままの状態で電話の呼出信号を検知した時点での再生位置を記憶することは出来ない。また、特許文献３に記載の発明では、電話の呼出信号を検知した際にＨＤＤで録画を開始し、電話の終了信号を検知した際に録画開始位置まで遡って再生を行うことは出来るが、放送番組の録画中に電話の呼出信号を検知した場合の処理について言及されていない。さらに、特許文献３に記載の発明では、電話回線を利用しなければ映像データの鑑賞を妨げるイベントを検知することが出来ない。また、特許文献１乃至３に記載の発明では、映像データの再生中に映像データの鑑賞を妨げられた時点での位置情報を記憶することは出来るが、該情報を削除する方法について記載されていない。
【０００６】
したがって、本発明の目的は、テレビジョン放送や映画等の映像音声データの録画／再生中に該映像音声データの視聴の妨げとなるイベントを自動的に検出し、録画／再生を停止することなく、検出時点での映像音声データの録画／再生位置を電源遮断時に於いて削除されない方法で記憶し、所定の条件を満たした場合に該録画／再生位置情報を削除することの出来る記録再生装置を提供することにある。
【課題を解決するための手段】
【０００７】
第１発明に係る録画再生装置は、テレビジョンチューナと、ＤＶＤ−ＲＷのＶＲモードで映像音声を録画再生可能なＤＶＤ装置であって、テレビジョンチューナで受信した放送番組をＤＶＤ−ＲＷに録画し、録画された放送番組を再生するＤＶＤ装置と、外部音声を検出して音声信号に変換する音声検出部と、音声信号の特徴パラメータを抽出する特徴抽出部と、特徴パラメータを記憶するメモリと、音声検出部で新たに外部音声が検出された場合に、新たに検出された外部音声の特徴パラメータと、メモリに記憶された特徴パラメータとを比較し、一定の割合以上一致するか否かを判定する判定部と、ユーザからのキー入力を受け付ける操作部と、判定部に於いて、新たに検出された外部音声の特徴パラメータとメモリに記憶された音声の特徴パラメータとを比較して、一定の割合以上一致する場合に、ＤＶＤ装置がＤＶＤ−ＲＷに録画された放送番組を再生中であれば、外部音声の検出時点で再生されていたＤＶＤ―ＲＷに録画された放送番組の映像箇所が記録されているセクタアドレスを参照し、セクタアドレスをＤＶＤ―ＲＷの再生領域の内側に設けられた情報領域に記憶させるとともに、音声検出を示すフラグをセクタアドレスに対応させて前記情報領域に記憶させ、ＤＶＤ装置が放送番組をＤＶＤ−ＲＷに録画中であれば、外部音声の検出時点でＤＶＤ−ＲＷに録画されていた放送番組の映像箇所が記録されているセクタアドレスを参照し、セクタアドレスを情報領域に記憶させるとともに、音声検出を示すフラグをセクタアドレスに対応させて情報領域に記憶させ、さらに、ユーザによる操作部へのキー入力によって、情報領域に記憶されたフラグ情報及びフラグに対応するセクタアドレスを読み出し、セクタアドレスから録画された放送番組の再生を実行させ、さらに、録画された放送番組がセクタアドレスから再生された場合と、フラグの記憶後に一定時間が経過した場合と、フラグ無効化の為の操作を受け付けた場合の何れかの条件を満たした場合に、ＤＶＤ装置に記憶されたフラグを無効化することを特徴とする。
【０００８】
この録画再生装置によれば、検出された外部音声の特徴パラメータとメモリに記憶されている特徴パラメータが一定の割合以上一致するか否かが判定されるので、この判定結果によって、検出された外部音声が所定の音声であるか否かを判断することが出来る。
【０００９】
また、この録画再生装置によれば、外部音声が検出された時点で録画／再生されていた放送番組の映像箇所を記録するセクタアドレスと、外部音声が検出されたことを示すフラグとが対応して録画再生部に記憶されるので、録画／再生されていた放送番組の何れの映像箇所で外部音声が検出されたのかを特定することが出来る。
【００１０】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられる。しかし、この録画再生装置によれば、所定の外部音声を検出した時点で録画再生部が録画番組を再生中であれば、再生を停止することなく、外部音声検出時に再生されていた映像箇所に関する情報が録画再生部に記憶されるので、非常に利便性が高い。
【００１１】
また、この録画再生装置によれば、録画再生部に記憶されたフラグ情報とフラグに対応するセクタアドレスを読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。さらに、ユーザは操作部へのキー入力によって、外部音声が検出された時点で録画／再生されていた放送番組の映像箇所を容易に再生することが出来るので、非常に利便性が高い。
【００１２】
また、この録画再生装置によれば、所定の条件を満たした場合にのみ、フラグを自動的に無効化することが出来るので、目的に合わせて柔軟にフラグの無効化を設定することが出来る。具体的には、外部音声が検出された時点で録画／再生されていた映像箇所が再生されることにより、フラグが無効化されるので、外部音声が検出された時点で録画／再生されていた映像箇所が一度再生され、以後、該映像箇所を再生させる必要が無くなった場合に、手動でフラグを無効化する手間を省くことが出来る。また、フラグを記憶した後に、一定時間が経過した場合、自動的にフラグが無効化されるので、利便性が高いだけでなく、不要になったフラグ情報を一定時間以上憶することを回避出来る。そして、フラグ無効化の為の操作を受け付けた場合にフラグを無効化することが出来るので、ユーザの志向を反映することができ、利便性が高い。
【００１３】
また、この録画再生装置によれば、録画再生部がＤＶＤ装置であるので、ランダムアクセスが可能であり、所定のセクタアドレスに直接アクセスし、該セクタアドレスに記録された映像を即座に再生することが可能となる。さらに、この録画再生装置によれば、セクタアドレス及びフラグ情報がＤＶＤ−ＲＷに記録されるので、録画再生装置への電源供給が遮断された場合や、ＤＶＤ−ＲＷがＤＶＤ装置から取り外された場合に於いても、セクタアドレス及びフラグ情報が消去されることを防止することが出来る。さらに、セクタアドレス及びフラグ情報がＤＶＤ−ＲＷの再生領域の内側に設けられた情報領域に記憶させるので、再生領域に記録された映像データに影響を与えることなく、これらの情報を記憶することが出来る。
【００１４】
第２発明に係る録画再生装置は、テレビジョンチューナと、テレビジョンチューナで受信した放送番組を録画し、録画された放送番組を再生する録画再生部と、外部音声を検出して音声信号に変換する音声検出部と、音声信号の特徴パラメータを抽出する特徴抽出部と、特徴パラメータを記憶するメモリと、音声検出部で新たに外部音声が検出された場合に、新たに検出された外部音声の特徴パラメータと、メモリに記憶された音声の特徴パラ
メータとを比較し、一定の割合以上一致するか否かを判定する判定部と、判定部に於いて、新たに検出された外部音声の特徴パラメータとメモリに記憶された音声の特徴パラメータとを比較して、一定の割合以上一致する場合に、録画再生部が録画された放送番組を再生中であれば、外部音声の検出時点で録画再生部によって再生されていた放送番組の映像箇所が記録されているセクタアドレスを参照し、セクタアドレスを録画再生部に記憶させるとともに、音声検出を示すフラグをセクタアドレスに対応させて録画再生部に記憶させる制御部と、を備えることを特徴とする。
【００１５】
この録画再生装置によれば、検出された外部音声の特徴パラメータとメモリに記憶されている特徴パラメータが一定の割合以上一致するか否かが判定されるので、この判定結果によって、検出された外部音声が所定の音声であるか否かを判断することが出来る。
【００１６】
また、この録画再生装置によれば、外部音声が検出された時点で再生されていた放送番組の映像箇所を記録するセクタアドレスと、外部音声が検出されたことを示すフラグとが対応して録画再生部に記憶されるので、再生された放送番組の何れの映像箇所で外部音声が検出されたのかを特定することが出来る。
【００１７】
さらに、一般に知られているリジューム再生機能では、所定の映像箇所に関する情報を取得するために、映像の再生を停止しする必要があり、例えば、複数の人が同時に映像データを視聴している状況でリジューム再生機能を使用すると、映像の再生停止を望まない人まで映像の視聴を妨げられる。しかし、この録画再生装置によれば、所定の外部音声を検出した時点で、録画再生部が録画番組を再生中であれば、再生を停止することなく、外部音声検出時に再生されていた映像箇所に関する情報が録画再生部に記憶されるので、非常に利便性が高い。
【００１８】
第３発明に係る録画再生装置は、テレビジョンチューナと、テレビジョンチューナで受信した放送番組を録画し、録画された放送番組を再生する録画再生部と、外部音声を検出して音声信号に変換する音声検出部と、音声信号の特徴パラメータを抽出する特徴抽出部と、特徴パラメータを記憶するメモリと、音声検出部で新たに外部音声が検出された場合に、新たに検出された外部音声の特徴パラメータと、メモリに記憶された特徴パラメータとを比較し、一定の割合以上一致するか否かを判定する判定部と、判定部に於いて、新たに検出された外部音声の特徴パラメータとメモリに記憶された音声の特徴パラメータとを比較して、一定の割合以上一致する場合に、録画再生部が放送番組を録画中であれば、外部音声の検出時点で録画再生部によって録画されていた放送番組の映像箇所が記録されているセクタアドレスを参照し、セクタアドレスを録画再生部に記憶させるとともに、音声検出を示すフラグをセクタアドレスに対応させて録画再生部に記憶させる制御部と、を備えることを特徴とする。
【００１９】
この録画再生装置によれば、検出された外部音声の特徴パラメータとメモリに記憶されている特徴パラメータが一定の割合以上一致するか否かが判定されるので、この判定結果によって、検出された外部音声が所定の音声であるか否かを判断することが出来る。
【００２０】
また、この録画再生装置によれば、外部音声が検出された時点で録画されていた放送番組の映像箇所を記録するセクタアドレスと、外部音声が検出されたことを示すフラグとが対応して録画再生部に記憶されるので、録画された放送番組の何れの映像箇所で外部音声が検出されたのかを特定することが出来る。
【００２１】
第４発明に係る録画再生装置は、第２乃至第３発明の何れか一つに係る録画再生装置に於いて、録画再生装置は、さらに操作部を備えており、制御部は、ユーザによる操作部へのキー入力によって、録画再生部に記憶されたフラグ情報及びフラグに対応するセクタアドレスを読み出し、セクタアドレスから録画された放送番組の映像箇所を再生させることを特徴とする。
【００２２】
この録画再生装置によれば、録画再生部に記憶されたフラグ情報とフラグに対応するセクタアドレスを読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。
【００２３】
また、ユーザは操作部へのキー入力によって、外部音声が検出された時点で録画／再生されていた放送番組の映像箇所を容易に再生することが出来るので、非常に利便性が高い。
【００２４】
第５発明に係る録画再生装置は、第２乃至第４発明の何れか一つに係る録画再生装置に於いて、制御部は、さらに所定の条件を満たした場合に、録画再生部に記憶されたフラグを無効化することを特徴とする。
【００２５】
この録画再生装置によれば、所定の条件を満たした場合にのみ、フラグを自動的に無効化することが出来るので、目的に合わせて柔軟にフラグの無効化を設定することが出来る。
【００２６】
第６発明に係る録画再生装置は、第５発明に係る録画再生装置に於いて、所定の条件は、録画された放送番組がセクタアドレスから再生されることであることを特徴とする。
【００２７】
この録画再生装置によれば、外部音声が検出された時点で録画／再生されていた映像箇所を再生することにより、フラグが無効化される。したがって、外部音声が検出された時点で録画／再生されていた映像箇所が一度再生され、以後、該映像箇所を再生させる必要が無くなった場合に、手動でフラグを無効化する手間を省くことが出来る。
【００２８】
第７発明に係る録画再生装置は、第５発明に係る録画再生装置に於いて、所定の条件は、フラグの記憶後に一定時間が経過することであることを特徴とする。
【００２９】
この録画再生装置によれば、フラグを記憶した後に、一定時間が経過した場合、自動的にフラグが無効化されるので利便性が高いだけでなく、不要になったフラグ情報を一定時間以上記憶することを回避出来る。
【００３０】
第８発明に係る録画再生装置は、第５発明に係る録画再生装置に於いて、所定の条件は、フラグ無効化の為の操作が受け付けられることであることを特徴とする。
【００３１】
この録画再生装置によれば、フラグの無効化の為の操作を受け付けた場合にフラグを無効化することが出来るので、ユーザの志向を反映させることができ、利便性が高い。
【００３２】
第９発明に係る録画再生装置は、第２乃至第８発明の何れか一つに係る録画再生装置に於いて、録画再生部はＨＤＤであり、セクタアドレス及びフラグはＨＤＤ内に設けられた不揮発性メモリ、若しくは、磁気ディスクに記憶させることを特徴とする。
【００３３】
この録画再生装置によれば、録画再生部がＨＤＤであるので、ランダムアクセスが可能であり、所定のセクタアドレスに直接アクセスし、該セクタアドレスに記録された映像を即座に再生することが可能となる。
【００３４】
また、この録画再生装置によれば、セクタアドレス及びフラグ情報がＨＤＤ内の不揮発性メモリ、若しくは、磁気ディスクに記憶されるので、録画再生装置への電源供給を遮断した場合でも、これらの情報が消去されることを防止することができ、これらの情報を長期間記憶しておくことが出来る。
【００３５】
第１０発明に係る録画再生装置は、第２乃至第８発明の何れか一つに係る録画再生装置
に於いて、録画再生部は、ＤＶＤ−ＲＷのＶＲモードで映像音声を録画再生可能なＤＶＤ装置であり、セクタアドレス及びフラグはＤＶＤ―ＲＷの再生領域の内側に設けられた情報領域に記憶させることを特徴とする。
【００３６】
この録画再生装置によれば、録画再生部がＤＶＤ装置であるので、ランダムアクセスが可能であり、所定のセクタアドレスに直接アクセスし、該セクタアドレスに記録された映像を即座に再生することが可能となる。
【００３７】
また、この録画再生装置によれば、セクタアドレス及びフラグ情報がＤＶＤ−ＲＷに記録されるので、録画再生装置への電源供給が遮断された場合や、ＤＶＤ−ＲＷがＤＶＤ装置から取り外された場合に於いても、セクタアドレス及びフラグ情報が消去されることを防止することが出来る。さらに、セクタアドレス及びフラグ情報がＤＶＤ−ＲＷの再生領域の内側に設けられた情報領域に記憶させるので、再生領域に記録された映像データに影響を与えることなく、これらの情報を記憶することが出来る。
【発明の効果】
【００３８】
本発明によれば、特定の外部音声を検出した時点で録画／再生されていた放送番組の映像箇所を特定し、該映像箇所を直接再生することができ、該映像箇所に関する情報を所定の条件を満たした場合にのみ自動的に消去することが出来る。
【発明を実施するための最良の形態】
【００３９】
（１）第１実施形態
[構成]
図１は、本実施形態に係るＨＤＤレコーダ一体型テレビジョン放送受信機１の概略構成図である。ＨＤＤレコーダ一体型テレビジョン放送受信機１は、音声認識部３と、アンテナ１０と、テレビジョンチューナ１１と信号処理部１２と、切換スイッチ１３と、デマルチプレクサ（ＤＥＭＵＸ）１４と、音声信号処理部１５と、スピーカ１６と、映像信号処理部１７と、表示部１８と、操作部１９と、赤外線受光部２０と、メイン制御部２１と、ＨＤＤ２２と、タイマカウンタ２３と、ＲＡＭ２４と、ＲＯＭ２５と、電源部２６と、ＯＳＤ処理部２７とを備える。
【００４０】
音声認識部３は、マイクロホン４と、アンプ５と、Ａ／Ｄ変換器６と、特徴抽出部７と、音声認識制御部８と、ＥＥＰＲＯＭ９とを有する。マイクロホン４は、音声を取得し、アナログ音声信号に変換してアンプ５に出力する。アンプ５は、マイクロホン４からのアナログ信号を増幅するとともに、雑音などの不要な信号を除去し、Ａ／Ｄ変換部６に出力する。Ａ／Ｄ変換部６は、アンプ５からのアナログ音声信号をデジタル信号に変換して特徴抽出部７に出力する。特徴抽出部７は、Ａ／Ｄ変換部６からの信号に基づいて、特徴パラメータ（周波数成分ごとの振幅と位相の関係）を抽出し、音声認識制御部８に出力する。ＥＥＰＲＯＭ９は書き換え可能な不揮発性メモリであり、マイクロホン４を介して取得された複数の音声に対応する特徴パラメータを記憶する。なお、ＥＥＰＲＯＭ９の代わりにフラッシュ等の不揮発性メモリを使用しても良い。音声認識制御部８は、特徴抽出部７から出力された特徴パラメータと、ＥＥＰＲＯＭ９に記憶された音声データの特徴パラメータとを比較して、一定の割合以上が一致するか否かを判定し、判定結果をメイン制御部２１に出力する。
【００４１】
アンテナ１０は、テレビジョン放送の放送電波を受信し、電気信号である放送信号に変換する。テレビジョンチューナ１１は、アンプ、フィルタ、混合器、ＰＬＬ等（図示せず）で構成されており、放送信号に所定の処理を施して信号処理部１２に出力する。信号処理部１２は、チューナ１１からの信号をデジタル化して圧縮し、ＨＤＤ２２に出力するとともに、切換スイッチ１３を介してＤＥＭＵＸ１４に出力する。ＨＤＤ２２は磁気ディスクや不揮発性メモリ等（図示せず）を内蔵しており、信号処理部１２からの信号を記録し
て放送番組のコンテンツを録画するとともに、記録された信号を切換スイッチ１３を介してＤＥＭＵＸ１４に出力する。切換スイッチ１３は、メイン制御部２１によって制御され、信号処理部１２とＨＤＤ２２からの信号を切り換えて、ＤＥＭＵＸ１４に出力する。ＤＥＭＵＸ１４は、多重化されている放送信号から映像信号と音声信号を分離抽出し、各信号を音声信号処理部１５及び映像信号処理部１７に出力する。音声信号処理部１５は、デジタル圧縮された音声信号を伸張し、アナログ変換してスピーカ１６に出力する。映像信号処理部１７は、デジタル圧縮された映像信号を伸張し、アナログ変換して表示部１８に出力する。
【００４２】
操作部１９は、複数の入力キーを備えたリモコンであり、ユーザによるキー入力を受け付けて、この結果を赤外線発光部（図示せず）を介して赤外線受光部２０に出力する。赤外線受光部１９は、操作部１９からの信号をメイン制御部２１に出力する。
【００４３】
メイン制御部２１は、操作部１９からの信号を受け付けるとともに、テレビジョンチューナ１１と、ＨＤＤ２２と、切換スイッチ１３と、ＯＳＤ処理部２７と、タイマカウンタ２３と、ＲＡＭ２４と、ＲＯＭ２５と、電源部２６とを制御する。
【００４４】
タイマカウンタ２３は、所定の時間を計測する。ＲＡＭ２４は揮発性のメモリであり、所定の情報を一時的に記憶する。ＲＯＭ２５は不揮発性のメモリであり、ＯＳＤ処理部２７に出力する画像データ等を記憶している。電源部２６は、ＨＤＤレコーダ一体型テレビジョン放送受信機１の電源投入及び電源遮断を切り換える。ＯＳＤ処理部２７は、ＲＯＭ２５に記憶されているＯＳＤ（On Screen Display）画面の画像データを表示部１８に出
力させる。
【００４５】
[再生時の再生位置記録方法]  
図２は、本実施形態に係るＨＤＤレコーダ一体型テレビジョン放送受信機１の録画映像再生時に於ける再生位置記録方法に関するフローチャートである。
【００４６】
上述の通り、ＨＤＤレコーダ一体型テレビジョン放送受信機１は、音声認識部３を備えており（図１参照）、特定のイベント発生を検出するための複数の音声を登録することが出来る。本実施形態に於いて対象となるイベントは、来客、固定電話及び携帯電話の着信であり、それぞれのイベント発生に伴い検出すべき音声は、インターホンの呼び出し音、固定電話及び携帯電話の着信音である。音声登録はユーザが操作部１９の所定のキーを押下することによって実行され、この時、マイクロホン４によって外部音声が検出されると、特徴抽出部７に於いて該外部音声の特徴パラメータ（周波数成分ごとの振幅と位相の関係）が抽出され、ＥＥＰＲＯＭ９に記憶され、音声登録が完了する。なお、本実施形態に於いて、インターホンの呼び出し音、固定電話及び携帯電話の着信音を音声登録する構成としたが、給湯器の湯沸かし完了を示すブザーや、洗濯機の洗濯動作完了を示すブザー等のデータを記憶し、来客、電話の着信以外のイベントを検出するようにしても良い。また、本実施形態に於いて、特徴パラメータとして周波数成分ごとの振幅と位相の関係を用いているが、隠れマルコフモデル（ＨＭＭ：Hidden Markov Model）等の確率モデルによる
音声パターンを用いても良く、非線形時間軸圧縮（ＤＴＷ：Dynamic Time Warping）による音声パターンを用いても良い。
【００４７】
音声認識部３への外部音声登録後に、外部音声がマイクロホン４によって検出された場合（Ｓ１１）、この外部音声の特徴パラメータが特徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ１２）、これらの特徴パラメータが所定の割合で一致するか否かを判定して、結果をメイン制御部２１に出力する。外部音声の特徴パラメータとＥＥＰＲＯＭ９に記憶された音声の特徴パラメータが所定の割合で一
致する場合、つまり、イベント発生が検知された場合、メイン制御部２１は、ＨＤＤ２２に録画された映像データが現在再生中であるか否かを判定する（Ｓ１３）。反対に、ステップ１２に於いて、外部音声の特徴パラメータが、ＥＥＰＲＯＭ９に記憶された音声の特徴パラメータと所定の割合で一致しない場合には、ステップ１１に戻る。
【００４８】
ステップ１３に於いて、ＨＤＤ２２が映像データを再生中であれば、メイン制御部２１は、イベント発生検出時点で再生されていたデータが磁気ディスクに記録されているセクタアドレスを抽出し、ＨＤＤ２２内の不揮発性メモリ、若しくは、磁気ディスク上の所定の領域に該セクタアドレスを記憶し、これに対応する論理値の値を「１」に設定することによってフラグを立てる（Ｓ１４）。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ１５）。具体的には、音声認識部３で登録された複数の音声のそれぞれに対応する絵図がＲＯＭ２５に記憶されており、発生したイベントごとに絵図を切り換えて表示部１８に出力させる。なお、メイン制御部２１は、イベント検出時点からタイマカウンタ２３を制御して、イベント発生後の時間を計測させる。一方、ステップ１３に於いて、ＨＤＤ２２が映像データを再生中でない場合には、ステップ１１に戻る。
【００４９】
ステップ１６に於いて、前述のタイマカウンタ２３によって計測されているイベント検出時からの経過時間が一定時間（例えば２４時間）を経過すると、ＨＤＤ２２内の不揮発性メモリ、若しくは、磁気ディスク上の所定の領域に記憶されたセクタアドレスに対応する論理値を「０」に設定してフラグを無効化（消去）し（Ｓ２０）、ステップ１１に戻る。一方、イベント検出時からの経過時間が一定時間を経過しておらず（Ｓ１６）、ユーザが操作部１９を操作してＯＳＤ画面に表示された絵図を選択する動作、若しくは、操作部１９に設けられた専用キーや「巻き戻し」キー、「再生」キー等を押下する動作を行った場合（Ｓ１７）、イベント検出時点に於ける映像の再生位置から再生する（Ｓ１８）。一方、ステップ１７に於いて、ユーザがイベント検出時点に於ける映像の再生位置から再生を再開するための操作部１９のキー入力を実行しない場合には、ステップ１９に移行する。ステップ１９に於いて、ユーザがイベント検出時点に於ける映像データの再生位置に遡って再生を再開する必要がないと判断し、操作部１９へのキー入力により、手動でフラグを消去する場合には、ＨＤＤ２２内のメモリ、若しくは、磁気ディスク上の所定の領域に記憶されたセクタアドレスに対応する論理値を「０」に設定してフラグを無効化し（Ｓ２０）、ステップ１１に戻る。反対にステップ１９に於いて、ユーザが手動でフラグを消去しない場合には、ステップ１６に戻る。なお、本実施形態に於いて、記憶可能なフラグの数は、ＨＤＤ内に設けられた不揮発性メモリの容量、若しくは、磁気ディスクに設けられた所定の領域の容量に従うものとする。  
【００５０】
[録画時の録画位置記録方法]  
図３は、本実施形態に係るＨＤＤレコーダ一体型テレビジョン放送受信機１によって放送番組を録画し、同時に該放送番組を視聴する場合に於ける再生位置記録方法に関するフローチャートである。なお、ユーザによる音声認識部３への外部音声登録に関する方法については上述の通りであるので、ここでは説明を省略する。  
【００５１】
音声認識部３への外部音声登録後に、外部音声がマイクロホン４によって検出された場合（Ｓ２１）、この外部音声の特徴パラメータが特徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ２２）、これらの特徴パラメータが所定の割合で一致するか否かを判定して、結果をメイン制御部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＨＤＤ２２
が放送番組を録画中であるか否かを判定する（Ｓ２３）。反対に、ステップ２２に於いて、外部音声の特徴パラメータが、ＥＥＰＲＯＭ９に記憶された音声の特徴パラメータと所定の割合で一致しない場合には、ステップ２１に戻る。
【００５２】
ステップ２３に於いて、ＨＤＤ２２が放送番組を録画中である場合、メイン制御部２１は、イベント発生時点で番組放送内容を記録していた磁気ディスク上のセクタアドレスを抽出し、ＨＤＤ２２内の不揮発性メモリ、若しくは、磁気ディスク上の所定の領域に該セクタアドレスを記憶し、これに対応する論理値の値を「１」に設定することによってフラグを立てる（Ｓ２４）。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ２５）。具体的には、音声認識部３で登録された複数の音声のそれぞれに対応する絵図がＲＯＭ２５に記憶されており、発生したイベントごとに絵図を切り換えて表示部１８に出力させる。なお、メイン制御部２１は、イベント検出時点からタイマカウンタ２３を制御して、イベント発生後の時間を計測させる。一方、ステップ２３に於いて、ＨＤＤ２２が放送番組を録画中でない場合には、ステップ２１に戻る。
【００５３】
ステップ２６に於いて、前述のタイマカウンタ２３によって計測されているイベント検出時からの経過時間が一定時間（例えば２４時間）を経過すると、ＨＤＤ２２内の不揮発性メモリ、若しくは、磁気ディスク上の所定の領域に記憶されたセクタアドレスに対応する論理値を「０」に設定してフラグを無効化（消去）し（Ｓ３０）、ステップ２１に戻る。一方、イベント検出時からの経過時間が一定時間を経過しておらず（Ｓ２６）、ユーザが操作部１９を操作してＯＳＤ画面に表示された絵図を選択する動作、若しくは、操作部１９に設けられた専用キーや「巻き戻し」キー、「再生」キー等を押下する動作を行った場合（Ｓ２７）、放送番組を録画中であってもイベント発生時点で番組放送内容を記録していた映像の録画位置に遡って録画データを再生する（Ｓ２８）。なお、放送番組の録画を継続しながら録画開始位置まで遡って録画データを再生する機能は「追っかけ再生」機能として一般に知られているが、本実施形態に於いては、録画開始位置に限らず、イベント発生検出時点の録画位置に遡って再生することが出来る点で、従来の「追っかけ再生」とは異なる。
【００５４】
一方、ステップ２７に於いて、ユーザがイベント検出時点に於ける番組放送の録画位置から再生するための操作部１９へのキー入力を実行しない場合には、ステップ２９に移行する。ステップ２９に於いて、ユーザがイベント検出時点に於ける番組放送の録画位置に遡って録画データを再生する必要がないと判断し、操作部１９へのキー入力によって、手動でフラグを消去する場合には、ＨＤＤ２２内の不揮発性メモリ、若しくは、磁気ディスク上の所定の領域に記憶されたセクタアドレスに対応する論理値を「０」に設定してフラグを無効化し（Ｓ３０）、ステップ２１に戻る。反対にステップ２９に於いて、ユーザが手動でフラグを消去しない場合には、ステップ２６に戻る。なお、本実施形態に於いて、記憶可能なフラグの数は、ＨＤＤ内に設けられたメモリの容量、若しくは、磁気ディスクに設けられた所定の領域の容量に従うものとする。  
【００５５】
[作用効果]
本実施形態に係るＨＤＤレコーダ一体型テレビジョン放送受信機１によれば、検出された外部音声の特徴パラメータと、ＥＥＰＲＯＭ９に記憶されているインターホンの呼び出し音、固定電話及び携帯電話の着信音の特徴パラメータが一定の割合以上一致するか否かが判定されるので、この判定結果によって、検出された外部音声が所定の音声であるか否か、言い換えれば、来客、固定電話及び携帯電話の着信というイベントが発生したか否かを判断することが出来る。
【００５６】
また、本実施形態に係るＨＤＤレコーダ一体型テレビジョン放送受信機１によれば、外
部音声が検出された時点で録画／再生されていた放送番組の映像箇所を記録するＨＤＤ２２内の磁気ディスク上のセクタアドレスと、外部音声が検出されたことを示すフラグとが、対応してＨＤＤ２２に記憶されるので、録画／再生された放送番組の何れの映像箇所で外部音声が検出されたのかを特定することが出来る。
【００５７】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられる。しかし、本実施形態に係るＨＤＤレコーダ一体型テレビジョン放送受信機１によれば、所定の外部音声を検出した時点で、ＨＤＤ２２が録画番組を再生中であれば、再生を停止することなく、外部音声検出時に再生されていた映像箇所に関する情報がＨＤＤ２２に記憶されるので、非常に利便性が高い。
【００５８】
また、本実施形態に係るＨＤＤレコーダ一体型テレビジョン放送受信機１によれば、ＨＤＤ２２に記憶されたフラグ情報と、フラグに対応するセクタアドレスを読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。また、ユーザは操作部１９に設けられた専用キーや「巻き戻し」キー、「再生」キー等を押下するだけで、外部音声検出時点に於ける映像の録画／再生位置から容易に再生することが出来るので、非常に利便性が高い。
【００５９】
また、本実施形態に係るＨＤＤレコーダ一体型テレビジョン放送受信機１によれば、所定の条件を満たした場合にのみ、フラグを自動的に無効化することが出来るので、目的に合わせて柔軟にフラグの無効化を設定することが出来る。具体的には、フラグ情報を記憶した後に、一定時間（例えば２４時間）経過した場合、自動的にフラグが無効化されるので、ユーザが手動でフラグを無効化する手間を省くことができ、利便性が高いだけでなく、不要になったフラグ情報を長期間記憶することを回避することが出来る。また、外部音声が検出された時点で録画／再生されていた映像箇所を操作部１９に設けられたキー入力によって再生させることにより、フラグが無効化される。したがって、外部音声が検出された時点で録画／再生されていた映像箇所が一度再生され、以後、該映像箇所を再生させる必要が無くなった場合に、ユーザが手動でフラグを無効化する手間を省くことが出来る。さらに、ユーザが操作部１９に設けられたキー操作によって、フラグを適宜無効化することが出来るので、ユーザが音声検出時に録画／再生されていた映像箇所から再生をする必要性がないと判断した場合には、手動でフラグを無効化することができ、利便性が高い。
【００６０】
また、本実施形態に係るＨＤＤレコーダ一体型テレビジョン放送受信機１によれば、ＨＤＤ２２を搭載することによって、映像箇所へのランダムアクセスが可能となり、所定のセクタアドレスに直接アクセスすることによって、該セクタアドレスに記録された映像を即座に再生することが可能となる。また、セクタアドレス及びフラグ情報がＨＤＤ２２内の不揮発性メモリ、若しくは、磁気ディスクに記憶されるので、録画再生装置への電源供給が遮断された場合に於いても、これらの情報が消去されることを防止することができ、これらの情報を一定時間（２４時間）記憶しておくことが出来る。
（２）第２実施形態
[構成]
図４は、本実施形態に係るＤＶＤレコーダ一体型テレビジョン放送受信機２の概略構成図である。なお、本実施形態に係るＤＶＤレコーダ一体型テレビジョン放送受信機２の構成と、実施形態１に係るＨＤＤレコーダ一体型テレビジョン放送受信機１の構成は略同一
であるので、同様の構成については同一符号を伏して特徴部分のみを説明する。
【００６１】
ＤＶＤ装置２８は、ＤＶＤ−ＲＷ（書き換え可能なＤＶＤ）のＶＲモード（再生、録画、フル編集が可能なモード）で再生、録画、編集可能なＤＶＤ装置である。ＤＶＤ装置２８は、信号処理部１２からの信号をＤＶＤ装置２８内に装着されたＤＶＤ―ＲＷ（図示せず）に記録して放送番組のコンテンツを録画するとともに、切換スイッチ１３を介してＤＶＤ−ＲＷ（以降、ＤＶＤと称す）に記録された信号をＤＥＭＵＸ１４に出力する。
【００６２】
[再生時の再生位置記録方法]  
図５は、本実施形態に係るＤＶＤレコーダ一体型テレビジョン放送受信機２の録画映像再生時に於ける再生位置記録方法に関するフローチャートである。
【００６３】
ＤＶＤレコーダ一体型テレビジョン放送受信機２は、音声認識部３を備えており（図４参照）、特定のイベント発生を検出するための複数の音声を登録することが出来る。本実施形態に於いて対象となるイベントは、来客、固定電話及び携帯電話の着信であり、それぞれのイベント発生に伴い検出すべき音声は、インターホンの呼び出し音、固定電話及び携帯電話の着信音である。音声登録はユーザが操作部１９の所定のキーを押下することによって実行され、この時、マイクロホン４によって外部音声が検出されると、特徴抽出部７に於いて該外部音声の特徴パラメータ（周波数成分ごとの振幅と位相の関係）が抽出され、ＥＥＰＲＯＭ９に記憶され、音声登録が完了する。なお、本実施形態に於いて、インターホンの呼び出し音、固定電話及び携帯電話の着信音を音声登録する構成としたが、給湯器の湯沸かし完了を示すブザーや、洗濯機の洗濯動作完了を示すブザー等のデータを記憶し、来客、電話着信以外のイベントを検出するようにしても良い。また、本実施形態に於いて、特徴パラメータとして周波数成分ごとの振幅と位相の関係を用いているが、隠れマルコフモデル（ＨＭＭ：Hidden Markov Model）等の確率モデルによる音声パターンを
用いても良く、非線形時間軸圧縮（ＤＴＷ：Dynamic Time Warping）による音声パターンを用いても良い。
【００６４】
音声認識部３への外部音声登録後に、外部音声がマイクロホン４によって検出された場合（Ｓ３１）、この外部音声の特徴パラメータが特徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ３２）、これらの特徴パラメータが所定の割合で一致するか否かを判定して、結果をメイン制御部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＤＶＤ装置２８に記録された映像内容（タイトル）を現在再生中であるか否かを判定する（Ｓ３３）。反対に、ステップ３２に於いて、外部音声の特徴パラメータが、ＥＥＰＲＯＭ９に記憶された音声の特徴パラメータと所定の割合で一致しない場合には、ステップ３１に戻る。
【００６５】
ステップ３３に於いて、ＤＶＤ装置２８がＤＶＤのタイトルを再生中であれば、メイン制御部２１は、イベント発生検出時点で再生されていたタイトルが記録されているセクタアドレスを抽出し、ＤＶＤの再生領域の内側に設けられた記録レーザパワーの校正（ＰＣＡ：Power Calibration Area）や記録管理情報（ＲＭＡ：Recording Management Area）
の為の情報領域に該セクタアドレスを記憶し、これに対応する論理値の値を「１」に設定することによってフラグを立てる（Ｓ３４）。なお、前述の通り、ＤＶＤ装置２８はＤＶＤ−ＲＷのＶＲモードで記録／再生が可能であるので、セクタアドレスとこれに対応するフラグの記憶及び削除といったデータの書き換えが可能である。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ３５）。具体的には、音声認識部３で登録された複数の音声のそれぞれに対応する絵図がＲＯＭ２５に記憶され
ており、発生したイベントごとに絵図を切り換えて表示部１８に出力させる。なお、メイン制御部２１は、イベント検出時点からタイマカウンタ２３を制御してイベント発生後の時間を計測させる。一方、ステップ３３に於いて、ＤＶＤ装置２８がコンテンツを再生中でない場合には、ステップ３１に戻る。
【００６６】
ステップ３６に於いて、前述のタイマカウンタ２３によって計測されているイベント検出時からの経過時間が一定時間（例えば２４時間）を経過すると、ＤＶＤの情報領域に記憶されたセクタアドレスに対応する論理値を「０」に設定してフラグを無効化（消去）し（Ｓ３０）、ステップ３１に戻る。一方、イベント検出時からの経過時間が一定時間を経過しておらず（Ｓ３６）、ユーザが操作部１９を操作してＯＳＤ画面に表示された絵図を選択する動作、若しくは、操作部１９に設けられた専用キーや「巻き戻し」キー、「再生」キー等を押下する動作を行った場合（Ｓ３７）、イベント検出時点に於けるコンテンツの再生位置から再生する（Ｓ３８）。一方、ステップ３７に於いて、ユーザがイベント検出時点に於けるコンテンツの再生位置から再生するための操作部１９のキー入力を実行しない場合には、ステップ３９に移行する。ステップ３９に於いて、ユーザがイベント検出時点に於けるコンテンツの再生位置に遡って再生する必要がないと判断し、操作部１９へのキー入力により、手動でフラグを消去する場合には、ＤＶＤの情報領域に記憶されたセクタアドレスに対応する論理値を「０」に設定してフラグを無効化し（Ｓ４０）、ステップ３１に戻る。反対にステップ３９に於いて、ユーザが手動でフラグを消去さない場合には、ステップ３６に戻る。なお、本実施形態に於いて、記憶可能なフラグの数は、ＤＶＤ−ＲＷの再生領域の内側に設けられた情報領域の容量に従うものとする。  
【００６７】
[録画時の録画位置記録方法]  
図６は、本実施形態に係るＤＶＤコーダ一体型テレビジョン放送受信機２によって放送番組を録画し、同時に該放送番組を視聴する場合に於ける再生位置記録方法に関するフローチャートである。なお、ユーザによる音声認識部３への外部音声登録に関する方法については上述の通りであるので、ここでは説明を省略する。  
【００６８】
音声認識部３への外部音声登録後に、外部音声がマイクロホン４によって検出された場合（Ｓ４１）、この外部音声の特徴パラメータが特徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ４２）、これらの特徴パラメータが所定の割合で一致するか否かを判定して、結果をメイン制御部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＤＶＤ装置２８に装着されたＤＶＤに放送番組を録画中であるか否かを判定する（Ｓ４３）。反対に、ステップ２２に於いて、外部音声の特徴パラメータが、ＥＥＰＲＯＭ９に記憶された音声の特徴パラメータと所定の割合で一致しない場合には、ステップ４１に戻る。
【００６９】
ステップ４３に於いて、ＤＶＤ装置２８がＤＶＤに放送番組を録画中である場合、メイン制御部２１は、イベント発生時点で番組放送内容を記録していたＤＶＤ上のセクタアドレスを抽出し、ＤＶＤの情報領域にセクタアドレスを記憶し、これに対応する論理値の値を「１」に設定することによってフラグを立てる（Ｓ４４）。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ４５）。具体的には、音声認識部３で登録された複数の音声のそれぞれに対応する絵図がＲＯＭ２５に記憶されており、発生したイベントごとに絵図を切り換えて表示部１８に出力させる。なお、メイン制御部２１は、イベント検出時点からタイマカウンタ２３を制御して、イベント発生後の時間を計測させる。一方、ステップ４３に於いて、ＤＶＤ装置２８が放送番組を録画中であり、且つ、該放送番組の内容が表示部１８に出力されていない場合には、ステップ４１
に戻る。
【００７０】
ステップ４６に於いて、前述のタイマカウンタ２３によって計測されているイベント検出時からの経過時間が一定時間（例えば２４時間）を経過すると、ＤＶＤ―ＲＷの情報領域に記憶されたセクタアドレスに対応する論理値を「０」に設定してフラグを無効化（消去）し（Ｓ４０）、ステップ４１に戻る。一方、イベント検出時からの経過時間が一定時間を経過しておらず（Ｓ４６）、ユーザが操作部１９を操作してＯＳＤ画面に表示された絵図を選択する動作、若しくは、操作部１９に設けられた専用キーや「巻き戻し」キー、「再生」キー等を押下する動作を行った場合（Ｓ４７）、放送番組を録画中であってもイベント発生時点で番組放送内容を記録していた映像の録画位置に遡って録画データを再生する（Ｓ４８）。なお、放送番組の録画を継続しながら録画開始位置まで遡って録画データを再生する機能は「追っかけ再生」機能として一般に知られており、該機能を有する装置はＨＤＤレコーダが主流となっているが、近年、ＤＶＤ―ＲＷのＶＲモードで「追っかけ再生」機能を有するＤＶＤ装置も市場に流通している。但し、本実施形態に於いては、録画開始位置に限らず、イベント発生検出時点の録画位置に遡って再生することが出来る点で、従来の「追っかけ再生」と異なる機能を有する。
【００７１】
一方、ステップ４７に於いて、ユーザがイベント検出時点に於ける番組放送の録画位置から再生するための操作部１９へのキー入力を実行しない場合には、ステップ４９に移行する。ステップ４９に於いて、ユーザがイベント検出時点に於ける番組放送の録画位置に遡って録画されたコンテンツを再生する必要がないと判断し、操作部１９へのキー入力によって、手動でフラグを消去する場合には、ＤＶＤに記憶されたセクタアドレスに対応する論理値を「０」に設定してフラグを無効化し（Ｓ５０）、ステップ４１に戻る。反対にステップ４９に於いて、ユーザが手動でフラグを消去しない場合には、ステップ４６に戻る。なお、本実施形態に於いて、記憶可能なフラグの数は、ＤＶＤの再生領域の内側に設けられた情報領域の容量に従うものとする。
【００７２】
[作用効果]
本実施形態に係るＤＶＤレコーダ一体型テレビジョン放送受信機２によれば、検出された外部音声の特徴パラメータと、ＥＥＰＲＯＭ９に記憶されているインターホンの呼び出し音、固定電話及び携帯電話の着信音の特徴パラメータが一定の割合以上一致するか否かが判定されるので、この判定結果によって、検出された外部音声が所定の音声であるか否か、言い換えれば、来客、固定電話及び携帯電話の着信というイベントが発生したか否かを判断することが出来る。
【００７３】
また、本実施形態に係るＤＶＤレコーダ一体型テレビジョン放送受信機２によれば、外部音声が検出された時点で録画／再生されていた放送番組の映像箇所を記録するＤＶＤ装置２８上のセクタアドレスと、外部音声が検出されたことを示すフラグとが、対応してＤＶＤ２８に装着されるＤＶＤの情報領域に記憶されるので、録画／再生された放送番組の何れの映像箇所で外部音声が検出されたのかを特定することが出来る。
【００７４】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられる。しかし、本実施形態に係るＤＶＤレコーダ一体型テレビジョン放送受信機２によれば、所定の外部音声を検出した時点で、ＤＶＤ装置２８がＤＶＤの録画映像を再生中であれば、再生を停止することなく、外部音声検出時に再生されていた映像箇所に関する情報がＤＶＤの情報領域に記憶されるので、非常に利便性が高い。
【００７５】
また、本実施形態に係るＤＶＤレコーダ一体型テレビジョン放送受信機２によれば、Ｄ
ＶＤ−ＲＷの情報領域に記憶されたフラグ情報と、フラグに対応するセクタアドレスを読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。また、ユーザは操作部１９に設けられた専用キーや「巻き戻し」キー、「再生」キー等を押下するだけで、外部音声検出時点に於ける映像の録画／再生位置から容易に再生することが出来るので、非常に利便性が高い。
【００７６】
また、本実施形態に係るＤＶＤレコーダ一体型テレビジョン放送受信機２によれば、所定の条件を満たした場合にのみ、フラグを自動的に無効化することが出来るので、目的に合わせて柔軟にフラグの無効化を設定することが出来る。具体的には、フラグ情報を記憶した後に、一定時間（例えば２４時間）経過した場合、自動的にフラグが無効化されるので、ユーザが手動でフラグを無効化する手間を省くことができ、利便性が高いだけでなく、不要になったフラグ情報を一定期間以上記憶することを回避することが出来る。また、外部音声が検出された時点で録画／再生されていた映像箇所を操作部１９に設けられたキー入力によって再生させることにより、フラグが無効化される。したがって、外部音声が検出された時点で録画／再生されていた映像箇所が一度再生され、以後、該映像箇所を再生させる必要が無くなった場合に、ユーザが手動でフラグを無効化する手間を省くことが出来る。さらに、フラグの無効化の為の操作が操作部１９に設けられたキー操作によって受け付けられるので、フラグを適宜無効化することができ、ユーザが音声検出時に録画／再生されていた映像箇所から再生をする必要性がないと判断した場合には、手動でフラグを無効化することができ、利便性が高い。
【００７７】
また、本実施形態に係るＤＶＤレコーダ一体型テレビジョン放送受信機２によれば、録画再生部がＤＶＤ装置であるので、ランダムアクセスが可能であり、所定のセクタアドレスに直接アクセスし、該セクタアドレスに記録された映像を即座に再生することが可能となる。さらに、セクタアドレス及びフラグ情報がＤＶＤに記録されるので、録画再生装置への電源供給が遮断された場合や、ＤＶＤがＤＶＤ装置から取り外された場合に於いても、セクタアドレス及びフラグ情報が消去されることを防止することが出来る。さらに、セクタアドレス及びフラグ情報がＤＶＤの再生領域の内側に設けられた情報領域に記憶させるので、再生領域に記録された映像データに影響を与えることがなく、再生領域のチャプタ数が増加したと誤って認識されることを回避することが出来る。
（３）その他の実施形態
第１実施形態及び第２実施形態に於ける発明は、ＨＤＤレコーダ一体型のテレビジョン放送受信機、及び、ＤＶＤレコーダ一体型のテレビジョン放送受信機に関するものであるが、ＨＤＤレコーダ又はＤＶＤレコーダ単体でも良い。また、録画／再生可能なＤＶＤ装置とＨＤＤとを備えたレコーダでも良い。さらに、録画／再生可能なＤＶＤ装置とＨＤＤとを備えたテレビジョン放送受信機であっても良い。
【図面の簡単な説明】
【００７８】
【図１】第１実施形態に係るＨＤＤレコーダ一体型テレビジョン放送受信機の概略構成図
【図２】第１実施形態に係る再生時の再生位置記録方法に関するフローチャート
【図３】第１実施形態に係る記録時の再生位置記録方法に関するフローチャート
【図４】第２実施形態に係るＤＶＤレコーダ一体型テレビジョン放送受信機の概略構成図
【図５】第２実施形態に係る再生時の再生位置記録方法に関するフローチャート
【図６】第２実施形態に係る記録時の再生位置記録方法に関するフローチャート
【符号の説明】
【００７９】
１      ＨＤＤレコーダ一体型テレビジョン放送受信機
２      ＤＶＤレコーダ一体型テレビジョン放送受信機
３      音声認識部
４      マイクロホン
５      アンプ
６      Ａ／Ｄ変換部
７      特徴抽出部
８      音声認識制御部
９      ＥＥＰＲＯＭ
１０    アンテナ
１１    テレビジョンチューナ
１２    信号処理部
１３    切換スイッチ
１４    ＤＥＭＵＸ
１５    音声信号処理部
１６    スピーカ
１７    映像信号処理部
１８    表示部
１９    操作部
２０    赤外線受光部
２１    メイン制御部
２２    ＨＤＤ
２３    タイマカウンタ
２４    ＲＡＭ  
２５    ＲＯＭ
２６    電源部
２７    ＯＳＤ処理部
２８    ＤＶＤ装置
【図１】
2006115230.tif 000003
【図２】
2006115230.tif 000004
【図３】
2006115230.tif 000005
【図４】
2006115230.tif 000006
【図５】
2006115230.tif 000007
【図６】
2006115230.tif 000008